(57)【特許請求の範囲】
【請求項１】
機器本体の正面側に排紙口を設ける一方、その排紙口から排出する用紙を受ける排紙受け箱を、その入口開口を上向きにして前記機器本体の正面側に設ける用紙処理機器において、用紙を収納した引出しを前記正面側に出し入れ自在に備え、その引出しに前記排紙受け箱を取り付け、その排紙受け箱に、前記引出しの把手を露出させる逃げを設けてなる、用紙処理機器。
【請求項２】
前記排紙受け箱を、複数の排紙ケースで形成してなる、請求項１に記載の用紙処理機器。
【請求項３】
前記排紙ケースを連結して、１つの前記引出しに掛け止めて吊り下げてなる、請求項２に記載の用紙処理機器。
【請求項４】
前記引出しを多段に備え、その各引出しに、それぞれ前記排紙ケースを掛け止めて吊り下げてなる、請求項２に記載の用紙処理機器。
【請求項５】
前記排紙受け箱の一部に、折り曲げたとき前記排紙受け箱内の途中を仕切る用紙受けを形成してなる、請求項１に記載の用紙処理機器。
【請求項６】
前記排紙受け箱に、排出される用紙の座屈を防ぐガイド部材を設けてなる、請求項１に記載の用紙処理機器。
【請求項７】
前記排紙受け箱を、前面板部と後面板部とでそれぞれ別個に形成し、それらを連結して構成してなる、請求項１に記載の用紙処理機器。
【発明の詳細な説明】
【０００１】
【発明の属する技術分野】
この発明は、プリンタ・複写機・読取機など、用紙を供給して印字・転写・印刷・画像読取り・加工などの処理を施して後、その処理済用紙を排紙口から排出する用紙処理機器に関する。
【０００２】
【従来の技術】
この種の用紙処理機器、たとえば複写機では、記録済用紙を複写機本体の背面側や側面側に排出するものもあるが、複写作業に必要な数々の操作をできるだけ複写機本体の正面側でまとめて行えると便利であるため、正面側に記録済用紙を排出する方が望ましい。大型の複写機の場合には、とり分けその方が望ましい。
【０００３】
そこで、従来の複写機の中に、記録済用紙の排紙口や排紙トレイを複写機本体の正面側に設ける構成としたものがある。
【０００４】
たとえば図２３に示すように、複写機本体１の正面１ａに排紙口２を設けるとともに、その排紙口２のところで複写機本体１内に排紙トレイＴを設置したものがある。その排紙トレイＴは、後トレイ３と前トレイ４とで構成し、一方の後トレイ３を正面１ａ側を下に傾斜して複写機本体１内に固定し、前トレイ４を排紙口２の下縁部で軸４ａを中心として開閉自在に設けてなる。
【０００５】
そして、不使用時は、前トレイ４を立てて排紙口２を塞いだ状態とする一方、使用時は、前トレイ４を図中鎖線で示す排紙位置に倒して排紙口２を開ける。しかして、記録後、記録済用紙を、図中矢印ａで示すように搬送して排紙トレイＴの上に排出していた。
【０００６】
【発明が解決しようとする課題】
ところが、そのような従来の複写機では、上述のように後トレイ３を複写機本体１内に設けるため、それだけ複写機本体１内で設計上の制約を受け、しかも、複写機本体１自体が大型になるという問題があった。
【０００７】
そこで、この発明の目的は、処理済用紙を機器本体の正面側に排出する構成の用紙処理機器において、そのように機器本体内で設計上の制約を受けず、機器本体自体が大型になることを防止することにある。
【０００８】
【課題を解決するための手段】
そのため、請求項１に記載した発明は、複写機本体１１のような機器本体の正面側Ａに排紙口１５を設ける一方、その排紙口１５から排出する用紙を受ける排紙受け箱２０を、その入口開口２５を上向きにして前記機器本体の正面側Ａに設ける用紙処理機器において、用紙を収納した引出し４５・５０・５１を前記正面側Ａに出し入れ自在に備え、その引出し４５・５０・５１に前記排紙受け箱２０を取り付け、その排紙受け箱２０に、前記引出し４５・５０・５１の把手４５ｂ・５０ｂ・５１ｂを露出させる逃げ３０・３５を設けてなる、ことを特徴とする。
【０００９】
そして、使用時、排紙口１５から処理済用紙を垂れ下がるように排出し、入口開口２５を通して排紙受け箱２０内に受け入れる。しかして、また、たとえば用紙の補給時は、引出し４５・５０・５１を排紙受け箱２０とともに出し入れする。また、引出し４５・５０・５１を出し入れするとき、逃げ３０・３５に手を通して把手４５ｂ・５０ｂ・５１ｂに掛ける。
【００１０】
請求項２に記載の発明は、請求項１に記載の用紙処理機器において、前記排紙受け箱２０を、複数の排紙ケース２１・２２で形成してなる、ことを特徴とする。
【００１２】
請求項３に記載の発明は、請求項２に記載の用紙処理機器において、前記排紙ケース２１・２２を連結して、１つの前記引出し４５に掛け止めて吊り下げてなる、ことを特徴とする。
【００１４】
請求項４に記載の発明は、請求項２に記載の用紙処理機器において、前記引出し５０・５１を多段に備え、その各引出し５０・５１に、それぞれ前記排紙ケース２１・２２を掛け止めて吊り下げてなる、ことを特徴とする。
【００１５】
そして、引出し５０・５１を出し入れするときは、それら引出し５０・５１を、それぞれ排紙ケース２１・２２とともに移動する。
【００１６】
請求項５に記載の発明は、請求項１に記載の用紙処理機器において、前記排紙受け箱２０の一部に、折り曲げたとき前記排紙受け箱２０内の途中を仕切る用紙受け２７ｄを形成してなる、ことを特徴とする。
【００１７】
そして、比較的小サイズの処理済用紙を排出する場合は、用紙受け２７ｄを折り曲げて排紙受け箱２０内の途中を仕切る。しかして、排紙口１５から排出する小サイズ用紙を用紙受け２７ｄで受ける。
【００１８】
請求項６に記載の発明は、請求項１に記載の用紙処理機器において、前記排紙受け箱２０に、排出される用紙の座屈を防ぐガイド部材６０を設けてなる、ことを特徴とする。
【００１９】
そして、排紙時、ガイド部材６０により、排紙口１５から排出される用紙を、座屈を生じることなく排紙受け箱２０内に排出する。
【００２０】
請求項７に記載の発明は、請求項１に記載の用紙処理機器において、前記排紙受け箱２０を、前面板部２７と後面板部２８とでそれぞれ別個に形成し、それらを連結して構成してなる、ことを特徴とする。
【００２１】
そして、たとえば出荷時に梱包するとき、排紙受け箱２０を前面板部２７と後面板部２８とに分離する。しかして、たとえばユーザのもとで排紙受け箱２０を組み立てるときは、前面板部２７と後面板部２８を連結する。
【００２４】
【発明の実施の形態】
以下、図面を参照しつつ、この発明の実施の形態について説明する。
図１は、この発明の一実施の形態である複写機の側面図である。
【００２５】
この複写機は、複写機本体１１を、その正面部１１ａを図中左側に向けて自動給紙用の給紙台４０上に設置してなる。
【００２６】
複写機本体１１は、正面部１１ａの下側に、図２に示すように、記録紙手差し台１２および給紙口１３を設けるとともに、その給紙口１３の上側に排紙口１５を設ける。さらに、上部１１ｂの正面部１１ａ側に、原稿手差し台１４を設けるとともに、正面側Ａに向けて原稿供給口１６をあけて設けてなる。
【００２７】
給紙台４０は、その上部に、上側を開放した長手箱形状の引出し４５を、図１中矢示する前後方向に出し入れ自在に備える。この引出し４５内には、図示しないが、ロール紙を収納するとともに、そのロール紙から用紙を引出して複写機本体１１内の記録部へ搬送する自動給紙装置や、ロール紙を所定長さにカットするカッタなどを備える。
【００２８】
そして、コピーを取るときは、原稿を原稿手差し台１４上にセットしてから、スタートスイッチを操作し、図１中点線で矢示するように原稿を搬送し、原稿供給口１６を通して送り込み、原稿内容を読み取って排出する一方、ロール紙から自動給紙装置で用紙を引出して複写機本体１１内の記録部へ送り込み、原稿の読取内容を用紙に記録するとともに、その用紙が所定長さになったところで該用紙をカットして排紙口１５から排出する。
【００２９】
さて、この複写機には、給紙台１１の引出し４５に備える正面板４５ａに排紙受け箱２０を取り付けてなる。引出し４５は、図３に示すように、正面板４５ａに把手４５ｂを設け、その正面板４５ａの上端面に、２本の掛止めピン４１を立てて取り付けてなる。
【００３０】
一方、排紙受け箱２０は、たとえば樹脂製のシートや段ボール等の折り曲げ自在なシート材を用いて形成した、上排紙ケース２１と下排紙ケース２２とで構成してなる。
【００３１】
上排紙ケース２１は、図４および図５に示すように、図中上側に入口開口２５を、下側に出口開口２６をあけて箱状につくる。また、符号２７で示す前面板部を後面板部２８に対し上側を漸次外側に傾斜させて入口開口２５を比較的大きく開けてつくる。さらに、それら両面板部２７・２８の上部中央側を大きく切り欠いて、そこに符号３０で示す逃げを形成する。一方、それら両面板部２７・２８の下縁側を、互いに外向きに湾曲させ、そこにフック部２７ａ・２８ａを形成する。また、後面板部２８には、上向きに伸びる一対の取付板部２８ｂを設け、それら取付板部２８ｂをそれぞれ直角に曲げて水平な掛止め片２８ｃを形成する。それら掛止め片２８ｃには、各々カギ穴状の掛止め穴３１を設けてなる。
【００３２】
下排紙ケース２２は、一枚の四角いシート材をその中央で折り曲げてつくり、さらに、前面板部３３および後面板部３４の上縁側を、互いに内向きに湾曲させ、そこにフック部３３ａ・３４ａを形成する。また、後面板部３４には、フック部３４ａの近くに一対のコ字状の切り込み３６を設け、そこに取付片３４ｂを形成してなる。それら取付片３４ｂの中央には、上記した掛止め穴３１と同様にカギ穴状の掛止め穴３７を設ける。なお、下排紙ケース２２にも、両面板部３３・３４の下部中央を大きく切り欠いてそこに逃げ３５を形成してなる。
【００３３】
そして、排紙受け箱２０は、図５に示すように、フック部２７ａ・２８ａにフック部３３ａ・３４ａを引っ掛けて下排紙ケース２２を上排紙ケース２１に分離可能に連結する。しかして、図３に示すように、掛止め片２８ｃの掛止め穴３１に、掛止めピン４１を通してから排紙受け箱２０を手前側に引いて掛止めピン４１を係合させる。そうして、排紙受け箱２０を正面板４５ａに掛け止め、図１に示すように複写機本体１１の正面側Ａに吊り下げてなる。
【００３４】
しかして、この複写機では、排紙口１５から記録紙を排出するとき、記録紙は、排紙口１５から垂れ下がり、入口開口２５を通って排紙受け箱２０内に受け入れる。なお、その場合、排出する用紙が、例えばＡ２サイズ以上の長尺紙のときは、その先端を排紙受け箱２０の底で受けた後、続いて送り込まれる部分を図示のように弛ませながら排紙受け箱２０内に収める。
【００３５】
一方、記録紙の補給時は、図３に示した排紙受け箱２０の逃げ３０に、手を通して把手４５ｂに掛け、図６に示すように、引出し４５を排紙受け箱２０とともに給紙台４０から手前に引き出す。記録紙の補給後は、給紙台４０内に引出し４５を押し込み、その引出し４５とともに排紙受け箱２０を移動する。
【００３６】
ところで、排紙受け箱２０は、たとえば図７および図８に示すように構成することにより、上排紙ケース２１と下排紙ケース２２を分離可能に連結することもできる。つまり、上排紙ケース２１両側の側面板部４２の下側に掛止め穴４３を設け、その掛止め穴４３に、その上側を一段幅広にあけて差込み穴部４３ａを設ける。一方、下排紙ケース２２には、後面板部３４の両側縁の上側に、板片４４を直角に折り曲げて設ける。その板片４４には、図中上向きに突出する差込み板部４４ａを有し、その先端に、差込み穴部４３ａに対応して幅広に形成した掛止め頭部４４ｂを設けてなる。
【００３７】
そして、上下排紙ケース２１・２２を連結するときは、この掛止め頭部４４ｂを差込み穴部４３ａに差し込んでから、下排紙ケース２２を下げて掛止め頭部４４ｂを掛止め穴４３に掛け止めるようにする。
【００３８】
さて、上述した図示複写機では、引出し４５を１つ備える給紙台４０の上に複写機本体１１を設置して使用した。しかし、この発明では、同様な引出しを上下多段に備える給紙台の上に、複写機本体１１を設置して使用することもできる。
【００３９】
たとえば図９に示すように、複写機本体１１を、幅サイズの異なるロール紙を収納した引出し５０・５１を上下２段に備えた給紙台５５の上に設置する。引出し５０・５１には、各々の正面板５０ａ・５１ａに後述する把手５０ｂ・５１ｂを設け、図１０に示すように、それら正面板５０ａ・５１ａの上端面に掛止めピン・４１・５２を立てて取り付けてなる。
【００４０】
そして、この複写機では、その使用時、図５に示した排紙受け箱２０のフック部２７ａ・２８ａからフック部３３ａ・３４ａを外して上排紙ケース２１から下排紙ケース２２を分離する。しかして、図１０に示すように、上段の引出し５０の掛止めピン４１を、上排紙ケース２１の掛止め穴３１に係合させ、上排紙ケース２１を上段の引出し５０の正面板５０ａに掛け止める。
【００４１】
さらに、図４中鎖線で示すように、下排紙ケース２２から取付片３４ｂを起し、掛止め穴３７に、図１０に示すように、下段の引出し５１の掛止めピン５２を係合させて下排紙ケース２２を下段の引出し５１の正面板５１ａに掛け止める。そして、上下排紙ケース２１・２２を、図１１でも示すように、それぞれ個別に引出し５０・５１の正面板５０ａ・５１ａに取り付ける。
【００４２】
そうして、排紙時は、記録済用紙を、上述したと同様に排紙口１５から垂れ下がるように排出して排紙受け箱２０内に受け入れる。なお、この場合、下排紙ケース２２は、図１０に示すように、その入口開口２９を、上排紙ケース２１の出口開口２６より若干大きく開けて形成してなり、用紙が途中で引っ掛からないようにする。
【００４３】
一方、上段の引出し５０内に記録紙を補給するときは、排紙受け箱２０の逃げ３０に手を通して把手５０ｂに掛け、引出し５０を、図１２に示すように上排紙ケース２１とともに給紙台５５から手前に引き出す。他方、下段の引出し５１内に記録紙を補給するときは、上述した逃げ３５に手を通して把手５１ｂに掛け、引出し５１を、図１３に示すように排紙受け箱２０とともに給紙台５５から手前に引き出す。そして、それら記録紙の交換後、給紙台５５内に引出し５０・５１を押し込み、それぞれ引出し５０・５１とともに上下排紙ケース２１・２２を移動する。
【００４４】
ところで、記録済用紙が比較的小サイズである場合、それを排紙受け箱２０内に排出すると、その底深く入り込むため、上から小サイズ用紙を取り出しずらいという問題がある。そこで、上述した排紙受け箱２０を、その中から小サイズ用紙を取り出し易くするために、以下のように構成することもできる。
【００４５】
たとえば図１４に示すように、上排紙ケース２１の逃げ３０の下側で前面板部２７に縦に２つ切込み２７ｃを設けてその間に用紙受け２７ｄを形成する。一方、切込み２７ｃの下端と対向する位置で、後面板部２８に差込み穴２８ｄを横に設ける。
【００４６】
そして、排出用紙が、たとえばＡ４以下の比較的小サイズの場合は、図１５に示すように、用紙受け２７ｄを折り曲げ、その先端を差込み穴２８ｄに差し込み、排紙受け箱２０内の途中を用紙受け２７ｄで仕切る。しかして、排紙時、入口開口２５から入る小サイズ用紙を用紙受け２７ｄで受け止める。そうすると、小サイズ用紙が底深く入り込まないため、上からの用紙取り出しを容易にすることができる。
【００４７】
ところで、以上の図示複写機は、自動給紙用の給紙台４０の上に複写機本体１１を設置して使用した。しかし、その複写機本体１１を、たとえば図１６に示すように机やテーブルなどの載置台１０の上に設置し、記録紙を手差しで供給して使用する仕方もできる。
【００４８】
そして、コピーを取るときは、用紙を記録紙手差し台１２上にセットしてから、原稿を原稿手差し台１４上にセットすることでコピーが開始され、図１６中点線で矢示するように原稿を搬送し、図２に示した原稿供給口１６を通して送り込み、原稿内容を読み取って排出する一方、用紙を図１６中鎖線で矢示するように搬送し、前記給紙口１３を通して送り込み、その用紙に原稿の読取内容を記録して排紙口１５から排出する。
【００４９】
しかして、この発明では、排紙時、記録済用紙を受ける上述した排紙受け箱２０を、図１６に示すように複写機本体１１の正面側Ａに吊り下げて使用することもできる。
【００５０】
その場合、排紙受け箱２０は、たとえば記録紙手差し台１２に取り付ける。記録紙手差し台１２は、図１７でも示すように板状をなし、その下面前側に、頭部を下にして掛止めピン１７を取り付けてなる。
【００５１】
そして、排紙受け箱２０を使用するときは、上下排紙ケース２１・２２を連結した状態とし、掛止め片２８ｃの掛止め穴３１に、掛止めピン１７を通してから排紙受け箱２０を手前側に引いて掛止めピン１７を係合させる。しかして、排紙受け箱２０を、図１６に示すように、複写機本体１１の正面側Ａで記録紙手差し台１２に掛け止めて着脱自在に吊り下げる。
【００５２】
なお、そのように排紙受け箱２０を着脱自在に吊り下げる方法としては、上述した掛止め穴３１と掛止めピン１７の掛け止め合いに限らず、たとえばコ状の引っ掛け部分を設けてその引っ掛け合いで取り付ける方法や、所謂マジックテープを用いる方法など、いろいろと考えられる。
【００５３】
また、そのように排紙受け箱２０を吊り下げる場合、たとえば図１７中鎖線で示すような補強板３８を用いてもよい。それら補強板３８は、掛止め穴３１と同様な掛止め穴３９を有する。そして、補強板３８をそれぞれ掛止め片２８ｃに重ねて、掛止めピン１７を掛止め穴３１・３９に係合させて排紙受け箱２０を記録紙手差し台１２に掛け止め、掛止め片２８ｃの強度を高める。
【００５４】
そうして、排紙時、排紙口１５から垂れ下がる記録済用紙を入口開口２５を通して排紙受け箱２０内に受け入れる。
【００５５】
ところで、この発明は、上述した排紙受け箱２０に、たとえば図１８中符号６０で示すようなガイド部材を複数設ける構成とすることもできる。
【００５６】
この排紙受け箱２０には、後面板部２８の一対の取付板部２８ｂにそれぞれ、図１９に示すように、上下に一対の係合穴６１ａ・６１ｂ、６２ａ・６２ｂを間隔を違えて２組設け、さらにその２組の係合穴を横に２組ずつ並べて設ける。それら係合穴のうち上方の係合穴６１ａ・６２ａは、その下部側を一段幅広にあけてそこに差込み穴部ｍを形成し、下方の係合穴６１ｂ・６２ｂは、その上部側を一段幅広にあけてそこに差込み穴部ｎを形成してなる。
【００５７】
一方、ガイド部材６０は、たとえば４つ備え、それぞれ細長い樹脂製シート材からなり、各々の両端近くに細い切込み６０ａを設けて両端にほぼ台形状の爪部６０ｂ・６０ｃを形成してなる。
【００５８】
そして、このガイド部材６０の爪部６０ｂ・６０ｃを、たとえば間隔の長い係合穴６１ａ・６１ｂに掛け止める。その場合、たとえば一端側の爪部６０ｂを差込み穴部ｍに通して差し込み、ガイド部材６０を少し上げて切込み６０ａに係合穴６１ａの穴縁を係合させてから、爪部６０ｂを上向きに折り曲げる。そして、ガイド部材６０を湾曲させながら、他端側の爪部６０ｃを差込み穴部ｎに通して差し込み、同様に切込み６０ａに係合穴６１ｂの穴縁を係合させて爪部６０ｃを折り曲げる。そうして、図１８に示すように、ガイド部材６０を、それぞれ排紙受け箱２０の前面板部２７に向けて突出した湾曲状態にする。
【００５９】
そして、この排紙受け箱２０を、たとえば図１６に示すように、複写機本体１１の正面側Ａに、上述したように記録紙手差し台１２に取り付けて吊り下げる。しかして、排紙時、排紙口１５から出て垂れ下がる用紙を、ガイド部材６０の湾曲した外周面で正面側Ａに寄せて、座屈しないように排紙受け箱２０内に縦向きにして受け入れる。
【００６０】
一方、この複写機で使用する記録紙が比較的腰の弱い種類の用紙の場合には、間隔の短い組の係合穴６２ａ・６２ｂを選択し、それら係合穴６２ａ・６２ｂに、図２０に示すように、ガイド部材６０の爪部６０ｂ・６０ｃを掛け止める。そして、ガイド部材６０を正面側Ａに大きく突出するように湾曲させてその外周面を前面板部２７に近づける。
【００６１】
しかして、排紙時、排紙口１５から出る用紙を、ガイド部材６０の大きく湾曲した外周面で正面側Ａに寄せて、その用紙が腰の弱さで座屈しないように排紙受け箱２０内に縦向きにしてその中に受け入れる。
【００６２】
なお、この発明では、上述のようにガイド部材６０を設けた排紙受け箱２０を、図示しないが、前記給紙台４０・５５に取り付けて使用し、ガイド部材６０で排出用紙を座屈しないように排紙受け箱２０内に受け入れるようにすることもできる。
【００６３】
ところで、図示排紙受け箱２０は、必要に応じその大きさがコンパクトになるように構成すると、たとえば梱包するときに便利である。
【００６４】
そのため、この発明では、たとえば排紙受け箱２０の上排紙ケース２１を、図２１に示すように、前面板部２７と後面板部２８の２つに分割してそれぞれ別個に形成する構成とすることもできる。そして、前面板部２７および後面板部２８には、それぞれ両側に側面板部分６５・６６を設け、そのうちの側面板部分６６に、それぞれ前記図８に示した掛止め穴４３と同様な形状の掛止め穴６７を上下に２つ設ける。一方、側面板部分６５に、それぞれ掛止め穴６７と対応する位置に上下に２つ切込み６８を設け、そこに前記図８に示した差込み板部４４ａと同様な形状のフック片６９を形成してなる。
【００６５】
そして、排紙受け箱２０を使用するときは、前面板部２７と後面板部２８を連結する。その場合、図２２に示すように、前面板部２７からフック片６９を起し、そのフック片６９を後面板部２８の掛止め穴６７の差込み穴部６７ａに通して差し込み、前面板部２７を下げて掛止め穴６７に掛け止め、フック片６９を下向きに折り曲げる。そうして、前述したが、この上排紙ケース２１のフック部２７ａ・２８ａに下排紙ケース２２のフック部３３ａ・３４ａを引っ掛け、上下排紙ケース２１・２２を連結して排紙受け箱２０を組み立てる。
【００６６】
また、この発明では、排紙受け箱２０を、前述したように折り曲げ自在の樹脂製シートなどでつくり、上排紙ケース２１の前面板部２７と後面板部２８を各々折り目位置で、図２１中鎖線で示すように折り曲げて平面状態に変形可能に形成する。さらに、下排紙ケース２２も、その底板部７０の折り目位置で鎖線で示すように折り曲げて平面的に変形可能に形成する。
【００６７】
そして、たとえば図示複写機の出荷時に梱包するとき、排紙受け箱２０は、上排紙ケース２１を、図２１に示すように連結を外して前面板部２７と後面板部２８とに分割する。さらに、前面板部２７の側面板部分６５を折り目位置で折り曲げ、後面板部２８の側面板部分６６と掛止め片２８ｃを折り目位置で折り曲げて平面的に変形させコンパクトにする。また、下排紙ケース２２も底板部７０の折り目位置で折り曲げて平面的に変形させコンパクトにする。
【００６８】
【発明の効果】
したがって、請求項１に記載の発明によれば、処理済用紙を機器本体の正面側に排出する用紙処理機器において、従来のように機器本体内に排紙受け箱を設けるのではなく、入口開口を上向きにして機器本体の正面側に設ける構成とし、排紙受け箱が機器本体内に入り込まないため、設計上の制約を受けることがなく、機器本体自体が大型になることを防止することができる。
【００６９】
また、用紙を収納した引出しを機器本体の正面側に出し入れ自在に備え、その引出しに排紙受け箱を取り付けることから、用紙の補給時など、引出しを出し入れするときに排紙受け箱をわざわざ取り外す面倒をなくすことができる。さらに、排紙受け箱に、引出しの把手を露出させる逃げを設けることにより、その逃げを通して把手に手を掛け引出しを引出しやすくすることができる。
【００７０】
請求項４に記載の発明によれば、引出しを多段に備え、その各引出しに、それぞれ排紙ケースを掛け止めて吊り下げることから、それら引出しを出し入れするときに排紙ケースをわざわざ取り外す面倒をなくすことができる。
【００７２】
請求項５に記載の発明によれば、比較的小サイズの処理済用紙を排紙受け箱に排出する場合、用紙受けを折り曲げて排紙受け箱内の途中を仕切り、その用紙受けで小サイズ用紙を受ける構成とすることにより、排紙受け箱内に排出した小サイズ用紙を取り出し易くすることができる。
【００７４】
請求項６に記載の発明によれば、排紙受け箱に、排出される用紙の座屈を防ぐガイド部材を設けることから、排出用紙を、座屈を生じることなく排紙受け箱内に効率よく排出することができる。
【００７５】
請求項７に記載の発明によれば、排紙受け箱をそれぞれ別個の前面板部と後面板部とに分離することにより、全体の大きさをコンパクトにすることができ、その結果、たとえば出荷時に用いる梱包用の箱などを小型にすることができる。
【図面の簡単な説明】
【図１】請求項１に記載の発明の一実施の形態を示す側面図である。
【図２】その複写機本体の外観斜視図である。
【図３】引出しの正面板部と、そこに吊り下げた排紙受け箱を示す斜視図である。
【図４】その排紙受け箱を上下の排紙ケースに分離して示す斜視図である。
【図５】それら排紙ケースを連結してなる排紙受け箱の縦断面図である。
【図６】引出しを引き出した状態の上記複写機の側面図である。
【図７】上下の排紙ケースの連結構造の他例を示し、それら排紙ケースを分離して示す排紙受け箱の斜視図である。
【図８】その連結部分を拡大して示す部分側面図である。
【図９】請求項４に記載した発明の一実施の形態を示す側面図である。
【図１０】排紙受け箱の排紙ケースをそれぞれ取り付けた引出しの部分側面図である。
【図１１】上記図９に示す複写機の外観斜視図である。
【図１２】その複写機を上引出しの引出し状態において示す側面図である。
【図１３】その複写機を下引出しの引出し状態において示す側面図である。
【図１４】請求項５に記載の発明の一実施の形態を示し、その複写機に備える排紙受け箱の上排紙ケースの部分省略斜視図である。
【図１５】その排紙受け箱内の途中を用紙受けで仕切った状態の上排紙ケースの部分省略斜視図である。
【図１６】上記複写機本体を載置台上に設置した使用状態において示す側面図である。
【図１７】その複写機本体の給紙部分と、そこに取り付ける排紙受け箱を示す斜視図である。
【図１８】請求項６に記載の発明の一実施の形態を示し、その複写機に備える排紙受け箱を示す斜視図である。
【図１９】その排紙受け箱の後面板部に設ける係合穴と、その係合穴に係合するガイド部材を示す斜視図である。
【図２０】その排紙受け箱を、ガイド部材を係合穴に掛け止めて大きく湾曲させた状態において示す部分拡大断面図である。
【図２１】請求項７に記載の発明の一実施の形態を示し、その複写機に備える排紙受け箱を、上排紙ケースの前後板部と下排紙ケースの３つに分離して示す分解斜視図である。
【図２２】その上排紙ケースのフック片を有する前面板部と、掛止め穴を有する後面板部を示す部分省略斜視図である。
【図２３】従来の複写機の正面側部分の概略構成図である。
【符号の説明】
１１                    複写機本体（機器本体）
１５                    排紙口
２０                    排紙受け箱
２１                    上排紙ケース（排紙ケース）
２２                    下排紙ケース（排紙ケース）
２５                    入口開口
２７ｄ                  用紙受け
３０・３５              逃げ
４０・５５              給紙台
４５・５０・５１        引出し
４５ｂ・５０ｂ・５１ｂ  把手
６０                    ガイド部材
６１ａ・６１ｂ          係合穴
６２ａ・６２ｂ          係合穴
Ａ                      正面側
【図１】
0003612162.tif 000002
【図２】
0003612162.tif 000003
【図３】
0003612162.tif 000004
【図４】
0003612162.tif 000005
【図５】
0003612162.tif 000006
【図６】
0003612162.tif 000007
【図７】
0003612162.tif 000008
【図８】
0003612162.tif 000009
【図９】
0003612162.tif 000010
【図１０】
0003612162.tif 000011
【図１１】
0003612162.tif 000012
【図１２】
0003612162.tif 000013
【図１３】
0003612162.tif 000014
【図１４】
0003612162.tif 000015
【図１５】
0003612162.tif 000016
【図１６】
0003612162.tif 000017
【図１７】
0003612162.tif 000018
【図１８】
0003612162.tif 000019
【図１９】
0003612162.tif 000020
【図２０】
0003612162.tif 000021
【図２１】
0003612162.tif 000022
【図２２】
0003612162.tif 000023
【図２３】
0003612162.tif 000024